(57)【要約】  ユーザ装置によって実行されるデータ送信方法及びユーザ装置を提供する。前記方法は、基地局から通知される無線ネットワーク一時識別子を受信することと、前記無線ネットワーク一時識別子に基づいて、基地局から送信される上りリンクスケジューリング情報を取得することと、前記上りリンクスケジューリング情報に指示されるリソースを使用して基地局へデータを送信することを含み、前記リソースには、ユーザ装置のデータが選択的に別のユーザ装置のデータと電力多重される。このように、非アイドルリソースについても、非アクティブＵＥのデータとアクティブＵＥのデータを異なる電力で前記リソースに多重することにより、非アクティブＵＥがコンテンションベース上りリンクアクセスを行うことを許可することができ、これによって、該アクセスの時間遅延を低減する。
2019512921.tif 000002
【特許請求の範囲】
【請求項１】
ユーザ装置によって実行されるデータ送信方法であって、
基地局から通知される無線ネットワーク一時識別子を受信することと、
前記無線ネットワーク一時識別子に基づいて、基地局から送信される上りリンクスケジューリング情報を取得することと、
前記上りリンクスケジューリング情報に指示されるリソースを使用して基地局へデータを送信すること、を含み、
前記リソースには、ユーザ装置のデータが選択的にもう一つのユーザ装置のデータと電力多重される、データ送信方法。
【請求項２】
前記基地局から通知される無線ネットワーク一時識別子は、第１チャネル品質レベルに対応する第１無線ネットワーク一時識別子と、第２チャネル品質レベルに対応する第２無線ネットワーク一時識別子と、第３チャネル品質レベルに対応する第３無線ネットワーク一時識別子とを含み、
第１チャネル品質レベルは、第２チャネル品質レベルより高いものであり、
第２チャネル品質レベルは、第３チャネル品質レベルより高いものである、
請求項１に記載のデータ送信方法。
【請求項３】
前記無線ネットワーク一時識別子に基づいて、基地局から送信される上りリンクスケジューリング情報を取得することは、
前記第１、第２及び第３無線ネットワーク一時識別子から、該ユーザ装置のチャネル品質レベルに対応する無線ネットワーク一時識別子を選択することと、
選択した無線ネットワーク一時識別子を利用して基地局から送信される制御情報をデスクランブルすることで、前記上りリンクスケジューリング情報を取得することと含む、
請求項２に記載のデータ送信方法。
【請求項４】
前記制御情報は、前記リソースを使用することが許可されるユーザ装置のチャネル品質レベルに対応する第１、第２又は第３無線ネットワーク一時識別子を利用してスクランブルされたものである、
請求項３に記載のデータ送信方法。
【請求項５】
前記無線ネットワーク一時識別子に基づいて、基地局から送信される上りリンクスケジューリング情報を取得することは、
前記無線ネットワーク一時識別子を利用し、基地局から送信される制御情報をデスクランブルすることで、上りリンクスケジューリング情報を取得することを含む、
請求項１に記載のデータ送信方法。
【請求項６】
前記上りリンクスケジューリング情報は、前記リソースを使用することが許可されるユーザ装置のチャネル品質レベルを指示する情報を含む、
請求項５に記載のデータ送信方法。
【請求項７】
前記上りリンクスケジューリング情報に指示されるリソースを使用して基地局へデータを送信することは、
該ユーザ装置のチャネル品質レベルと、前記リソースを使用することが許可されるユーザ装置のチャネル品質レベルを指示する前記情報とによって、該ユーザ装置が前記リソースを使用することが許可されるかを特定することと、
該ユーザ装置は、前記リソースを使用することが許可される場合、前記リソースを使用して基地局へデータを送信すること
を含む、請求項６に記載のデータ送信方法。
【請求項８】
前記もう一つのユーザ装置が第１チャネル品質レベルを有する場合、前記リソースを使用することが許可されるユーザ装置のチャネル品質レベルは、第３チャネル品質レベルであり、
前記もう一つのユーザ装置が第３チャネル品質レベルを有する場合、前記リソースを使用することが許可されるユーザ装置のチャネル品質レベルは、第１チャネル品質レベルである、
請求項４又は７に記載のデータ送信方法。
【請求項９】
前記リソースがアイドルリソースの場合、前記リソースを使用することが許可されるユーザ装置のチャネル品質レベルは、第２チャネル品質レベルである、
請求項４又は７に記載のデータ送信方法。
【請求項１０】
基地局から通知される無線ネットワーク一時識別子を受信するように構成される受信装置と、
前記無線ネットワーク一時識別子に基づいて、基地局から送信される上りリンクスケジューリング情報を取得するように構成されるスケジューリング情報取得装置と、
前記上りリンクスケジューリング情報に指示されるリソースを使用して基地局へデータを送信するように構成される送信装置と、を備え、
前記リソースには、該ユーザ装置のデータが選択的にもう一つのユーザ装置のデータと電力多重される、
ユーザ装置。
【請求項１１】
前記基地局から通知される無線ネットワーク一時識別子は、第１チャネル品質レベルに対応する第１無線ネットワーク一時識別子と、第２チャネル品質レベルに対応する第２無線ネットワーク一時識別子と、第３チャネル品質レベルに対応する第３無線ネットワーク一時識別子とを含み、
第１チャネル品質レベルは、第２チャネル品質レベルより高いものであり、
第２チャネル品質レベルは、第３チャネル品質レベルより高いものである、
請求項１０に記載のユーザ装置。
【請求項１２】
前記スケジューリング情報取得装置は、前記第１、第２及び第３無線ネットワーク一時識別子から、該ユーザ装置のチャネル品質レベルに対応する無線ネットワーク一時識別子を選択し、且つ、選択した無線ネットワーク一時識別子を利用して基地局から送信される制御情報をデスクランブルすることで、前記上りリンクスケジューリング情報を取得する、
請求項１１に記載のユーザ装置。
【請求項１３】
前記制御情報は、前記リソースを使用することが許可されるユーザ装置のチャネル品質レベルに対応する第１、第２又は第３無線ネットワーク一時識別子を利用してスクランブルされたものである、
請求項１２に記載のユーザ装置。
【請求項１４】
前記スケジューリング情報取得装置は、前記無線ネットワーク一時識別子を利用して基地局から送信された制御情報をデスクランブルすることで、上りリンクスケジューリング情報を取得する、
請求項１０に記載のユーザ装置。
【請求項１５】
前記上りリンクスケジューリング情報は、前記リソースを使用することが許可されるユーザ装置のチャネル品質レベルを指示する情報を含む、
請求項１４に記載のユーザ装置。
【請求項１６】
前記送信装置は、該ユーザ装置のチャネル品質レベルと、前記リソースを使用することが許可されるユーザ装置のチャネル品質レベルを指示する前記情報とによって、該ユーザ装置が前記リソースを使用することが許可されるかを特定し、
該ユーザ装置が前記リソースを使用することが許可される場合、前記リソースを使用して基地局へデータを送信する、
請求項１５に記載のユーザ装置。
【請求項１７】
前記もう一つのユーザ装置が第１チャネル品質レベルを有する場合、前記リソースを使用することが許可されるユーザ装置のチャネル品質レベルは、第３チャネル品質レベルであり、
前記もう一つのユーザ装置が第３チャネル品質レベルを有する場合、前記リソースを使用することが許可されるユーザ装置のチャネル品質レベルは、第１チャネル品質レベルである、
請求項１３又は１６に記載のユーザ装置。
【請求項１８】
前記リソースがアイドルリソースである場合、前記リソースを使用することが許可されるユーザ装置のチャネル品質レベルは、第２チャネル品質レベルである、
請求項１３又は１６に記載のユーザ装置。
【発明の詳細な説明】
【技術分野】
【０００１】
本発明は無線通信分野に関し、具体的には、ユーザ装置（ＵＥ）によって実行されるデータ送信方法、基地局及びユーザ装置に関する。
【背景技術】
【０００２】
従来、専用スケジューリングリクエスト（ＤＳＲ）を利用してユーザ装置（ＵＥ）の上りリンクアクセスを行う。具体的には、アイドル状態にあるＵＥ（非アクティブのＵＥ）は、送信しようとするデータがある時、該ＵＥが上りリンク制御チャネル（ＰＵＣＣＨ）の送信タイミングを待つ。該送信タイミングが来る時、該ＵＥは、ＰＵＣＣＨによってスケジューリングリクエストを基地局へ送信し、自分へ上りリンク無線リソースを割り当てるように基地局に対して要求する。基地局は、該スケジューリングリクエストを復号化し、上りリンクリソースを該ＵＥに割り当てるためのスケジューリングを行い、そして、スケジューリング結果をスケジューリンググラント（Ｓｃｈｅｄｕｌｉｎｇ  Ｇｒａｎｔ）によってＵＥに送信する。ＵＥは、該スケジューリンググラントを復号化し、送信しようとするデータに対してＬ１レイヤー及びＬ２レイヤーの処理を行い、そして、基地局から割り当てられる上りリンク無線リソースを使用して基地局へデータを送信する。基地局は、該データを受信し、そして、該データに対して復号化及び必要な処理を行い、且つ、処理結果をＵＥへ通知する。
【０００３】
上記上りリンクアクセス手順は、比較的大きい時間遅延がある。この時間を低減するために、コンテンションベース上りリンクアクセス方法が提案された。この方法では、基地局は、ブロードキャスト又は専用シグナリングによって、ＵＥの利用可能な無線ネットワーク一時識別子（ＲＮＴＩ、またはＣＢ−ＲＮＴＩとも呼ぶ）をＵＥへ通知する。また、上りリンクにアイドルリソースがある時、基地局は、物理下りリンク制御チャネル（ＰＤＣＣＨ）によって該アイドルリソースを通知するためのスケジューリンググラントを送信し、該ＰＤＣＣＨは、ＲＮＴＩによってスクランブルされるものである。ＵＥは、基地局から通知されるＲＮＴＩを受信し、且つ、該ＲＮＴＩを利用して基地局から送信されるＰＤＣＣＨを監視することで、基地局がスケジューリンググラントを送信したか否かを検知する。ＵＥがＲＮＴＩを利用してＰＤＣＣＨをデスクランブルすることに成功することでスケジューリンググラントを検知した時、該ＵＥは、送信しようとするデータに対してＬ１レイヤー及びＬ２レイヤーの処理を行い、そして、該アイドルリソースを使用して前記データを送信する。既存の上りリンクアクセス方法と比べると、コンテンションベース上りリンクアクセス方法は、ＵＥがＰＤＣＣＨの送信タイミングを待つステップ、ＵＥがスケジューリングリクエストを送信するステップ、並びに基地局が該スケジューリングリクエストを受信して処理するステップを省略することにより、アクセスに必要される時間遅延を顕著に低減する。
【発明の概要】
【発明が解決しようとする課題】
【０００４】
しかしながら、コンテンションベース上りリンクアクセス方法は、通常、システム負荷が相対的に低い（すなわち、アイドルリソースがある）時のみに使用されるが、システム負荷が相対的に高い時は、アクセス時間遅延を低減する効果が良くない。
【課題を解決するための手段】
【０００５】
本発明に係る一実施例によると、ユーザ装置（ＵＥ）によって実行されるデータ送信方法を提供した。該方法は、基地局から通知される無線ネットワーク一時識別子（ＲＮＴＩ）を受信することと、前記ＲＮＴＩに基づいて、基地局から送信される上りリンクスケジューリング情報を取得することと、前記上りリンクスケジューリング情報に指示されたリソースを使用して基地局へデータを送信することと、を含み、前記リソースには、ＵＥのデータが選択的にもう一つのＵＥのデータと電力多重（Ｐｏｗｅｒ  Ｍｕｌｔｉｐｌｅｘ）される。
【０００６】
本発明に係る別の方面によると、基地局から通知されるＲＮＴＩを受信するように配置される受信装置と、前記ＲＮＴＩに基づいて、基地局から送信される上りリンクスケジューリング情報を取得するように配置されるスケジューリング情報取得装置と、前記上りリンクスケジューリング情報指示にされたリソースを使用して基地局へデータを送信するように配置される送信装置と、を含むＵＥを提供する。前記リソースには、該ＵＥのデータが選択的にもう一つのＵＥのデータと電力多重される。
【発明の効果】
【０００７】
本発明の上記方面によるデータ送信方法及びＵＥを利用すると、システム負荷が低い場合だけではなく、システム負荷が高い場合も、上りリンクアクセスの時間遅延を顕著に低減した。
【図面の簡単な説明】
【０００８】
本開示の実施例を、図面を参照しながら詳細に説明することにより、本開示の上記及びその他の目的、特徴、長所はより明らかになる。
【０００９】
【図１】ＮＯＭＡ技術の原理を模式的に示す図である。
【図２】基地局によって実行される上りリンク無線リソーススケジューリングの例示を示す。
【図３】本発明第１実施例によるデータ送信方法のフローチャートである。
【図４】本発明第１実施例による制御情報のフォーマットを模式的に示す。
【図５】本発明第１実施例によるアクティブＵＥ及び非アクティブＵＥによって実行される、図３に示すデータ送信方法に基づくデータ送信手順を模式的に示す。
【図６】本発明第１実施例による基地局のブロック図を示す。
【図７】本発明第１実施例によるＵＥのブロック図を示す。
【図８】本発明第２実施例によるデータ送信方法のフローチャートを示す。
【図９】本発明第２実施例による非アクティブＵＥに用いられる制御情報のフォーマットを模式的に示す。
【図１０】本発明第２実施例によるアクティブＵＥ及び非アクティブＵＥによって実行される、図８に示すデータ送信方法に基づくデータ送信手順を模式的に示す。
【図１１】本発明第２実施例による基地局のブロック図を示す。
【図１２】本発明第２実施例によるＵＥのブロック図を示す。
【発明を実施するための形態】
【００１０】
以下、図面を参照しながら、本発明の実施例を説明する。図面において、同じ参照記号は、常に同じ素子を示す。ここで説明する実施例は例示に過ぎず、本開示的範囲を制限するものと解釈してはいけないことは、理解されるべきである。
【００１１】
本発明の実施例において、ＵＥが使用可能なリソースは、リソースブロックであってもよいし、その他の種類のリソースであってもよい。例えば、単一のリソースブロックをさらに分割して得られるより小さなリソースユニットであってもよい。説明の便宜上、リソースブロックをリソースの例示として使用して本発明の実施例を説明する。
【００１２】
また、本発明の実施例において、ＵＥをアクティブＵＥ及び非アクティブＵＥに分けることができる。アクティブＵＥは、基地局との通信中にあるＵＥであり、基地局は、既存の上りリンクグラント（ＵＬ  Ｇｒａｎｔ）によって上りリンクスケジューリング情報をアクティブＵＥへ通知する。よって、アクティブＵＥは、コンテンションベース上りリンクアクセスを行う必要がない。非アクティブＵＥは、アイドル状態にあるＵＥであり、送信しようとするデータがある時、非アクティブＵＥはアクセスを行う。本発明の実施例において、非アクティブＵＥは、コンテンションベース上りリンクアクセスを行うことができる。
【００１３】
ＵＥ（アクティブＵＥ及び／又は非アクティブＵＥ）は、基地局から送信される参照信号（例えば、サウンディング参照信号）を測定することにより、自分のチャネル品質を特定する。前記チャネル品質は、例えば、参照信号受信電力（ＲＳＲＰ）、参照信号受信品質（ＲＳＲＱ）、チャネル品質指示子（ＣＱＩ）等で示されることができる。そして、ＵＥは、自分のチャネル品質（例えば、ＲＳＲＰ値）と予め設定したチャネル品質閾値（例えば、ＲＳＲＰ値の閾値）と比較することにより、自分のチャネル品質レベルを特定することができる。本発明の実施例では、二つのチャネル品質閾値、すなわち閾値１と、閾値１より大きい閾値２とを設定することによって、三つのチャネル品質レベルを設定してもよい。ＵＥのチャネル品質が閾値１より大きい場合、該ＵＥは第１チャネル品質レベルを有する。ＵＥのチャネル品質が閾値１より大きくない、かつ閾値２より大きい場合、該ＵＥは第２チャネル品質レベルを有する。ＵＥのチャネルが閾値２より大きくない場合、該ＵＥは第３チャネル品質レベルを有する。第１チャネル品質レベルは第２チャネル品質レベルより高く、第２チャネル品質レベルは第３チャネル品質レベルより高いため、第１チャネル品質レベルを高チャネル品質レベル、第２チャネル品質レベルを中チャネル品質レベル、第３チャネル品質レベルを低チャネル品質レベルと呼ぶことができる。また、アクティブＵＥは、基地局がそのチャネル品質を知って且つ同じ方式で該アクティブＵＥのチャネル品質レベルを特定するように、そのチャネル品質を基地局にフィードバックすることができる。代わりに、アクティブＵＥは、そのチャネル品質レベルを基地局に通知してもよい。
【００１４】
本発明の実施例において、コンテンションベース上りリンクアクセスと非直交多重アクセス（ＮＯＭＡ：Ｎｏｎ  Ｏｒｔｈｏｇｏｎａｌ  Ｍｕｌｔｉｐｌｅ  Ａｃｃｅｓｓ）を結合する。図１は、ＮＯＭＡ技術の原理を模式的に示す。図１に示すように、ＮＯＭＡ技術において、基地局は、周波数リソースブロック（例えば、サブバンド）で複数のＵＥのデータに対して電力多重を行うことができる。すなわち、異なる電力で複数ＵＥのデータを多重し、且つ、多重されたデータを各ＵＥに送信する。基地局から送信されるデータを受信した後、各ＵＥは、逐次干渉除去（ＳＩＣ：Ｓｕｃｃｅｓｓｉｖｅ  Ｉｎｔｅｒｆｅｒｅｎｃｅ  Ｃａｎｃｅｌｌａｔｉｏｎ）順番に従って前記データを復調して自分のデータを取得し、ここで、前記ＳＩＣ順番は、周波数リソースブロック毎に多重された各ＵＥのデータの復調順番を示すものである。前記周波数リソースブロックはリソースの例示である。本発明の実施例において、前記リソースは、リソースブロック以外のその他の種類の無線リソースであってもよい。例えば、リソースブロックをさらに分割して得られるより小さいリソースユニットであってもよい。
【００１５】
各リソースブロックについて、該リソースブロックの種類に従って選択的に該リソースブロックで電力多重（ＮＯＭＡ）を行うことができる。具体的には、アイドルリソースブロックについては、ＮＯＭＡを行わずにアイドルリソースブロックをデータを送信する必要がある非アクティブＵＥに割り当て、これによって、該非アクティブＵＥが前記アイドルリソースブロックを利用してコンテンションベース上りリンクアクセスを行うことをできるようにする。非アイドルリソースブロック、すなわち、その他のＵＥ（アクティブＵＥ）に割り当てられるリソースブロックについて、選択的にＮＯＭＡを行うことにより、該リソースブロック上で該その他のＵＥのデータと非アクティブＵＥのデータとを電力多重し、これによって、非アクティブＵＥは、前記非アイドルのリソースブロックに対しても、コンテンションベース上りリンクアクセスを行うことができる。
【００１６】
より具体的には、基地局は、各非アイドルリソースブロックについて、該リソースブロックが割り当てられたアクティブＵＥを特定し、そして、アクティブＵＥのチャネル品質レベルに従って、その他のＵＥ（例えば、非アクティブＵＥ）が該リソースブロックを使用することを許可するかを特定し、且つ、該リソースブロックを使用することが許可される非アクティブＵＥ（すなわち、そのデータが該リソースブロック上に多重されることが許可される非アクティブＵＥ）のチャネル品質レベルを特定することができる。基地局は、本分野の公知方式で、該リソースブロックが割り当てられるアクティブＵＥを特定することができ、ここでは説明を省略する。例示として、あるリソースブロックは、高チャネル品質レベルを有するアクティブＵＥに割り当てられる場合、低チャネル品質レベルを有する非アクティブＵＥのみが該リソースブロックを使用することが許可される。あるリソースブロックは、低チャネル品質レベルを有するアクティブＵＥに割り当てられる場合、高チャネル品質レベルを有する非アクティブＵＥのみが該リソースブロックを使用することが許可される。あるリソースブロックは、中チャネル品質レベルを有するアクティブＵＥに割り当てられる場合、その他のＵＥが該リソースブロックを使用することが許可されない。すなわち、その他のＵＥのデータを該リソースブロックに多重することが許可されない。一方、あるリソースブロックは、いずれのアクティブＵＥにも割り当てられず、アイドルリソースブロックとなる場合、基地局は、ＮＯＭＡを行わずに、中チャネル品質レベルを有する非アクティブＵＥが該リソースブロックを使用することを許可することができる。図２は、基地局による上りリンク無線リソーススケジューリングの例示を示す。図２に示す例において、リソースブロック（サブバンド）ＳＢ１及びＳＢ２は、高チャネル品質レベルを有するアクティブＵＥによって占有されるため、低チャネル品質レベルを有する非アクティブＵＥのみがＳＢ１及びＳＢ２を使用することが許可される。サブバンドＳＢ３及びＳＢ４は、低チャネル品質レベルを有するアクティブＵＥによって占有されるため、高チャネル品質レベルを有する非アクティブＵＥのみがＳＢ３及びＳＢ４を使用することが許可される。サブバンドＳＢ５はアイドルリソースであるため、中チャネル品質レベルを有する非アクティブＵＥがＳＢ５を使用することを許可することができる。サブバンドＳＢ６は、中チャネル品質レベルを有するアクティブＵＥによって占有されるため、基地局は、その他のＵＥがＳＢ６を使用することを許可しない。各リソースブロックを使用するＵＥを特定すること以外、基地局は、本分野の公知方式に従って各ＵＥ的送信電力を特定することもでき、ここでは説明を省略する。
【００１７】
（第１実施例）
以下、図３を参照して本発明第１実施例によるＵＥによって実行されるデータ送信方法を説明する。本実施例において、該方法を実行するＵＥは非アクティブＵＥである。その他の実施例において、前記ＵＥは、アクティブＵＥ及び非アクティブＵＥの両方であってもよい。
【００１８】
図３を参照し、ステップＳ３０１では、非アクティブＵＥは、基地局から通知されるＲＮＴＩを受信する。基地局は、専用シグナリングによって或いはブロードキャストによってこの通知を行うことができる。
【００１９】
本実施例では、通信システムにおいて使用可能なＲＮＴＩ１、ＲＮＴＩ２  ＲＮＴＩ３の三つのＲＮＴＩを予め定義することができる。ここで、ＲＮＴＩ１は、第１チャネル品質レベルに対応するものであり、ＲＮＴＩ２は、第２チャネル品質レベルに対応するものであり、ＲＮＴＩ３は、第３チャネル品質レベルに対応するものである。基地局は、これらの三つの使用可能なＲＮＴＩを各ＵＥに通知することができる。
【００２０】
各リソースブロックについて、基地局は、該リソースブロックを使用することが許可されるアクティブＵＥ、及び／又は該リソースブロックを使用することが許可される非アクティブＵＥのチャネル品質レベル、並びに各ＵＥの送信電力を特定するように、上記方式に従ってスケジューリングを行うことができる。そして、各リソースブロックについては、該リソースがアクティブＵＥに割り当てられる場合、基地局は、本分野の公知方式に従って、上りリンクスケジューリング情報（ＵＬ  Ｇｒａｎｔ）を生成し、制御情報（例えば、ＰＤＣＣＨ）（該ＵＥのＲＮＴＩスクランブル専用）によって該上りリンクスケジューリンググラントを該アクティブＵＥに送信することができ、ここで、前記上りリンクスケジューリング情報は、該リソースブロックと、該アクティブＵＥの送信電力とを指示することができる。一方、該リソースブロックは、非アクティブＵＥに使用されることも許可される場合、基地局は、上りリンクスケジューリング情報（ＣＢ  Ｇｒａｎｔ）を生成し、そして、該リソースブロックを使用することが許可される非アクティブＵＥのチャネル品質レベルに対応するＲＮＴＩを使用して、該上りリンクスケジューリング情報を持つ制御情報（例えば、ＰＤＣＣＨ）をスクランブルし、そして、スクランブルされた後の制御情報をセル内の各々の非アクティブＵＥに送信することができ、ここで、上りリンクスケジューリング情報（ＣＢ  Ｇｒａｎｔ）は、該リソースブロックと、該リソースブロックを使用することが許可される非アクティブＵＥの送信電力とを指示する。例えば、あるリソースブロックを使用することが許可される非アクティブＵＥのチャネル品質レベルは第１チャネル品質レベルである場合、基地局は、第１チャネル品質レベルに対応するＲＮＴＩ１を利用して前記制御情報をスクランブルし、あるリソースブロックを使用することが許可されるＵＥのチャネル品質レベルは第２チャネル品質レベルである場合、基地局は、第２チャネル品質レベルに対応するＲＮＴＩ２を利用して前記制御情報をスクランブルし、あるリソースブロックを使用することが許可されるＵＥのチャネル品質レベルは第３チャネル品質レベルである場合、基地局は、第３チャネル品質レベルに対応するＲＮＴＩ３を利用して前記制御情報をスクランブルする。図２に示す例示では、ＳＢ１及びＳＢ２は第１チャネル品質レベルのアクティブＵＥに割り当てられるため、第３チャネル品質レベルの非アクティブＵＥのみがこの二つのサブバンドを使用することが許可され、このため、基地局は、ＲＮＴＩ３を用いてＳＢ１及びＳＢ２に対応付けられる制御情報をスクランブルする。同様に、基地局は、ＲＮＴＩ１を用いてＳＢ３及びＳＢ４に対応付けられる制御情報をスクランブルし、ＲＮＴＩ２を用いてＳＢ５に対応付けられる制御情報をスクランブルする。図４は、本実施例では基地局によって生成されるＰＤＣＣＨのフォーマットを示す。図４に示すように、該ＰＤＣＣＨは、上りリンクスケジューリング情報（ＵＬ  Ｇｒａｎｔ或ＣＢ  Ｇｒａｎｔ）を指示するフィールドと、巡回冗長検査（ＣＲＣ）フィールドとを含み、ここで、該ＣＲＣフィールドは、ＲＮＴＩによってスクランブルされてもよい。該Ｐ��ＣＣＨのフォーマットは本分野で熟知されるものであるため、ここでは説明を省略する。
【００２１】
図３に戻って、ステップＳ３０２において、非アクティブＵＥは、基地局から通知されるＲＮＴＩに基づいて、基地局から送信される上りリンクスケジューリング情報を取得することができる。
【００２２】
具体的には、該非アクティブＵＥは、基地局から通知されるＲＮＴＩ（ＲＮＴＩ１、ＲＮＴＩ２、及びＲＮＴＩ３）から、該非アクティブＵＥのチャネル品質レベルに対応するＲＮＴＩを選択することができる。例えば、該非アクティブＵＥは、上記のように自分のチャネル品質レベルを特定し、且つ、対応するＲＮＴＩを選択することができる。そして、該非アクティブＵＥは、基地局から送信される上りリンクスケジューリング情報を取得するように、選択されたＲＮＴＩを利用して基地局から送信される制御情報（例えば、ＰＤＣＣＨ）をデスクランブルすることができる。
【００２３】
該非アクティブＵＥによるデスクランブルに失敗した場合、該非アクティブＵＥは、該制御情報に対応する無線リソースを使用することができないことを意味する。逆に、該非アクティブＵＥによるデスクランブルに成功した場合、該非アクティブＵＥは、前記制御情報に持たされる上りリンクスケジューリング情報を取得し、且つ、該上りリンクスケジューリング情報に指示される無線リソースを知ることができる。
【００２４】
ステップＳ３０３では、非アクティブＵＥは、前記上りリンクスケジューリング情報に指示されるリソースを使用して基地局へデータを送信することができる。
【００２５】
具体的には、非アクティブＵＥは、送信しようとするデータに対してＬ１及びＬ２レイヤーの処理を行い、且つ、前記上りリンクスケジューリング情報に指示されるリソースを使用して、前記上りリンクスケジューリング情報に指示される電力で前記データを基地局に送信することができる。
【００２６】
上記データ送信方法を利用することにより、非アイドルのリソースであっても、非アクティブＵＥのデータを電力多重方式で前記リソースに多重することができるため、非アクティブＵＥは、コンテンションベース上りリンクアクセスを行うことで、アクセスの時間遅延を低減することができる。
【００２７】
以下、図５を参照し、本発明第１実施例によるアクティブＵＥ及び非アクティブＵＥによって実行される送信手順を説明し、該手順は、図３に示すデータ送信方法に基づく。
【００２８】
図５に示すように、ステップＳ５０１では、基地局は、通信システムで使用可能なＲＮＴＩ、すなわちＲＮＴＩ１、ＲＮＴＩ２及びＲＮＴＩ３を、セルにおけるＵＥへ通知する。ステップＳ５０２では、前記ＲＮＴＩを受信した非アクティブＵＥは、その下りリンクチャネル品質を測定して、そのチャネル品質レベルを特定し、且つ、該チャネル品質レベルに対応するＲＮＴＩを選択する。
【００２９】
ステップＳ５０３では、各リソースブロックについて、基地局は、上記方式に従ってスケジューリングを行うことで、該リソースブロックを使用することが許可されるアクティブＵＥ、及び／又は該リソースブロックを使用することが許可される非アクティブＵＥのチャネル品質レベル、並びに各ＵＥの送信電力を特定する。
【００３０】
ステップＳ５０４では、非アクティブＵＥの使用が許可されるリソースブロックについて、基地局は、上りリンクスケジューリング情報（ＣＢ  Ｇｒａｎｔ）を生成し、そして、該非アクティブＵＥのチャネル品質レベルに対応するＲＮＴＩを使用して、該上りリンクスケジューリング情報を持つ制御情報をスクランブルし、そして、スクランブルされた後の制御情報を各非アクティブＵＥに送信する。
【００３１】
ステップＳ５０５では、アクティブＵＥの使用が許可されるリソースブロックについて、基地局は、上りリンクスケジューリング情報（ＵＬ  Ｇｒａｎｔ）を生成し、且つ、制御情報によって該上りリンクスケジューリング情報を該アクティブＵＥに送信する。
【００３２】
ステップＳ５０６では、非アクティブＵＥは、基地局から送信される上りリンクスケジューリング情報（ＣＢ  Ｇｒａｎｔ）を検知し、且つ、該上りリンクスケジューリング情報に指示されるリソースを使用し、Ｌ１レイヤー及びＬ２レイヤー処理されたデータを基地局に送信する。非アクティブＵＥは、上記で図３を参照して説明した方式に従ってこのような検知及びデータ送信を行うことができるが、ここでは説明を省略する。
【００３３】
ステップＳ５０７では、アクティブＵＥは、基地局から送信される上りリンクスケジューリング情報（ＵＬ  Ｇｒａｎｔ）を検知し、且つ、該上りリンクスケジューリング情報に指示されるリソースを使用し、Ｌ１レイヤー及びＬ２レイヤー処理されたデータを基地局に送信する。アクティブＵＥは、本分野の公知方式に従ってこのような検知及びデータ送信を行うことができるが、ここでは説明を省略する。
【００３４】
注意すべきなのは、上記フローにおいて特定の順番で各ステップを説明したが、これは制限的なものではなく、これらのステップは逆の順番で行う、又は同時に行うことができる。例えば、ステップＳ５０４及びステップＳ５０５は同時に行ってもよく、ステップＳ５０５を先に実行してからステップＳ５０４を実行してもよい。同様に、ステップＳ５０６及びステップＳ５０７は同時に行ってもよく、ステップＳ５０７を先に実行してからステップＳ５０６を実行してもよい。
【００３５】
これで分かるように、コンテンションベース上りリンクアクセスをＮＯＭＡと結合することにより、非アイドルリソースについても、非アクティブＵＥは、上りリンクアクセスを行うことができ、これによって、該アクセスの時間遅延を顕著に低減する。また、ＮＯＭＡを行う場合、チャネル品質レベルの差が大きいＵＥのデータをリソースブロック上に多重することにより、良好なＮＯＭＡ性能を実現することができる。
【００３６】
続いて、図６を参照して本発明第１実施例による基地局を説明する。
【００３７】
図６に示すように、基地局６００は、送信装置６０１及びスケジューリング装置６０２を備える。理解すべきなのは、これら二つの装置以外、基地局６００は、データ処理に用いられる装置並びにコアネットワーク及びＵＥとの通信に必要とされる装置をさらに備えても良い。ここでは、説明の便宜上これらの装置を示さない。
【００３８】
送信装置６０１は、通信システムで使用可能なＲＮＴＩを、セルにおけるＵＥへ通知することができる。前記ＲＮＴＩは、システムにおいて予め定義されたものであり、例えば、第１チャネル品質レベルに対応するＲＮＴＩ１、第２チャネル品質レベルに対応するＲＮＴＩ２、及び第３チャネル品質レベルに対応するＲＮＴＩ３であってもよい。
【００３９】
スケジューリング装置６０２は、各リソースブロックについて、上記方式に従ってスケジューリングを行うことで、該リソースブロックを使用することが許可されるアクティブＵＥ、及び／又は該リソースブロックを使用することが許可される非アクティブＵＥのチャネル品質レベル、並びに各ＵＥの送信電力を特定することができる。
【００４０】
また、各リソースブロックについて、該リソースがアクティブＵＥに割り当てられる場合、スケジューリング装置６０２は、本分野の公知方式に従って、上りリンクスケジューリング情報（ＵＬ  Ｇｒａｎｔ）を生成し、そして、送信装置６０１は、制御情報（例えば、ＰＤＣＣＨ）によって該上りリンクスケジューリンググラントを該アクティブＵＥに送信する。ここで、前記上りリンクスケジューリング情報（ＵＬ  Ｇｒａｎｔ）は、該リソースブロックと、該アクティブＵＥの送信電力とを指示してもよい。一方、該リソースブロックが非アクティブＵＥの使用も許可される場合、スケジューリング装置６０２は、上りリンクスケジューリング情報（ＣＢ  Ｇｒａｎｔ）をさらに生成し、そして、送信装置６０１は、該リソースブロックを使用することが許可される非アクティブＵＥのチャネル品質レベルに対応するＲＮＴＩを使用し、該上りリンクスケジューリング情報を持つ制御情報（例えば、ＰＤＣＣＨ）をスクランブルし、そして、スクランブルされた後の制御情報をセル内の各非アクティブＵＥに送信する。ここで、前記上りリンクスケジューリング情報（ＣＢ  Ｇｒａｎｔ）は、該リソースブロックと、該リソースブロックを使用することが許可される非アクティブＵＥの送信電力とを指示してもよい。
【００４１】
続いて、図７を参照し、本発明第１実施例によるＵＥを説明する。
【００４２】
図に示すように、ＵＥ７００は、受信装置７０１、スケジューリング情報取得装置７０２及び送信装置７０３を備える。理解すべきなのは、これらの三つの装置以外、ＵＥ７００は、データ処理に用いられる装置並びに基地局との通信に必要される装置をさらに備えても良い。ここでは説明の便宜上これらの装置を示さない。
【００４３】
受信装置７０１は、基地局から通知されるＲＮＴＩを受信することができる。前記ＲＮＴＩは、システムにおいて予め定義されたものであり、例えば、第１チャネル品質レベルに対応するＲＮＴＩ１、第２チャネル品質レベルに対応するＲＮＴＩ２、及び第３チャネル品質レベルに対応するＲＮＴＩ３であってもよい。
【００４４】
スケジューリング情報取得装置７０２は、基地局から通知されるＲＮＴＩに基づいて、基地局から送信される上りリンクスケジューリング情報を取得することができる。
【００４５】
具体的には、スケジューリング情報取得装置７０２は、基地局から通知されるＲＮＴＩ（ＲＮＴＩ１、ＲＮＴＩ２及びＲＮＴＩ３）から、該ＵＥのチャネル品質レベルに対応するＲＮＴＩを選択することができる。該ＵＥは、スケジューリング情報取得装置７０２が対応するＲＮＴＩを選択できるように、上記のように自分のチャネル品質レベルを特定することができる。そして、スケジューリング情報取得装置７０２は、選択されるＲＮＴＩを利用して基地局が送信した制御情報（例えば、ＰＤＣＣＨ）をデスクランブルすることで、基地局から送信される上りリンクスケジューリング情報を取得することができる。スケジューリング情報取得装置７０２によるデスクランブルに失敗する場合、該ＵＥは該制御情報に対応する無線リソースを使用することができないことを意味する。逆に、スケジューリング情報取得装置７０２によるデスクランブルに成功する場合、該ＵＥは前記制御情報に持たされる上りリンクスケジューリング情報を取得でき、且つ、該上りリンクスケジューリング情報に指示される無線リソースを知ることができることを意味する。上記のように、該上りリンクスケジューリング情報は、該ＵＥの送信電力を指示する情報をさらに含んでもよい。
【００４６】
送信装置７０３は、前記上りリンクスケジューリング情報に指示されるリソースを使用して基地局へデータを送信することができる。具体的には、送信装置７０３は、送信しようとするデータに対してＬ１及びＬ２レイヤーの処理を行い、且つ、前記上りリンクスケジューリング情報に指示されるリソースを使用して、前記上りリンクスケジューリング情報に指示される電力で前記データを基地局に送信することができる。
【００４７】
このように、前記ＵＥが非アクティブＵＥの場合、非アイドルの無線リソースについても、前記ＵＥは、コンテンションベース上りリンクアクセスを行うことで、該アクセスの時間遅延を低減することができる。
【００４８】
（第２実施例）
以下、図８を参照し、本発明第２実施例による、ＵＥによって実行されるデータ送信方法を説明する。本実施例では、該方法を実行するＵＥは非アクティブＵＥである。その他の実施例では、前記ＵＥは、アクティブＵＥ及び非アクティブＵＥの両方であってもよい。
【００４９】
図８を参照し、ステップＳ８０１では、非アクティブＵＥは、基地局から通知されるＲＮＴＩを受信する。基地局は、専用シグナリング或いはブロードキャストによってこの通知を行うことができる。本実施例では、第１実施例と異なり、一つのＲＮＴＩを予め定義してセルにおける各ＵＥに通知することができる。
【００５０】
ここで、各リソースブロックについて、基地局は、上記方式に従ってスケジューリングを行うことにより、該リソースブロックを使用することが許可されるアクティブＵＥ、及び／又は該リソースブロックを使用することが許可される非アクティブＵＥのチャネル品質レベル、並びに各ＵＥの送信電力を特定することができる。各リソースブロックについて、該リソースがアクティブＵＥに割り当てられる場合、基地局は、本分野の公知方式に従って、上りリンクスケジューリング情報（ＵＬ  Ｇｒａｎｔ）を生成し、さらに制御情報（例えば、ＰＤＣＣＨ）によって該上りリンクスケジューリンググラントを該アクティブＵＥに送信する。ここで、前記上りリンクスケジューリング情報は、該リソースブロック及び該アクティブＵＥの送信電力を指示することができる。アクティブＵＥに用いられる制御情報（例えば、ＰＤＣＣＨ）のフォーマットは、図４に示すフォーマットと同じであってもよい。一方、あるリソースブロックが非アクティブＵＥの使用が許可される場合、基地局は上りリンクスケジューリング情報（ＣＢ  Ｇｒａｎｔ）を生成し、そして前記ＲＮＴＩを使用し、該上りリンクスケジューリング情報を持つ制御情報（例えば、ＰＤＣＣＨ）をスクランブルし、そしてスクランブルした制御情報をセル内の各非アクティブＵＥに送信することができる。本実施例では、非アクティブＵＥに用いられる制御情報（例えば、ＰＤＣＣＨ）のフォーマットは、図４に示すフォーマットと異なる。図９は、本発明第２実施例による非アクティブＵＥに用いられる制御情報のフォーマットを模式的に示す。図９に示すように、該リソースブロックと、該リソースブロックを使用することが許可される非アクティブＵＥの送信電力とを指示する情報以外、前記上りリンクスケジューリング情報（ＣＢ  Ｇｒａｎｔ）は、該リソースブロックを使用することが許可される非アクティブＵＥのチャネル品質レベルを指示する付加情報をさらに含む。例示として、該付加情報は２ビットを有し、そのうち、００は第１チャネル品質レベルを示し、すなわち、第１チャネル品質レベルを有する非アクティブＵＥが該リソースブロックを使用することを許可する。０１は第２チャネル品質レベルを示し、すなわち、第２チャネル品質レベルを有する非アクティブＵＥが該リソースブロックを使用することを許可する。１０は第３チャネル品質レベルを示し、すなわち、第３チャネル品質レベルを有する非アクティブＵＥが該リソースブロックを使用することを許可する。また、前記付加情報は１１である場合、いかなるチャネル品質レベルを有する非アクティブＵＥが該リソースブロックを使用することを許可する。図２に示す例示では、ＳＢ１及びＳＢ２は第１チャネル品質レベルのアクティブＵＥに割り当てられるため、第３チャネル品質レベルの非アクティブＵＥのみがこの二つのサブバンドを使用することが許可され、よってＳＢ１及びＳＢ２に対応付けられる上りリンクスケジューリング情報における付加情報は１０に設定される。同様に、ＳＢ３及びＳＢ４に対応付けられる上りリンクスケジューリング情報における付加情報は００に設定され、ＳＢ５に対応付けられる上りリンクスケジューリング情報における付加情報は０１に設定される。
【００５１】
ステップＳ８０２では、非アクティブＵＥは、基地局から通知されるＲＮＴＩに基づいて、基地局から送信される上りリンクスケジューリング情報を取得することができる。具体的には、該非アクティブＵＥは、基地局から通知されるＲＮＴＩを利用して基地局から送信される制御情報（例えば、ＰＤＣＣＨ）をデスクランブルすることで、基地局から送信される上りリンクスケジューリング情報を取得することができる。
【００５２】
ステップＳ８０３では、非アクティブＵＥは、前記上りリンクスケジューリング情報に指示されるリソースブロックを使用して基地局へデータを送信することができる。
【００５３】
具体的には、非アクティブＵＥは、自分のチャネル品質レベル及び前記上りリンクスケジューリング情報における付加情報によって、該非アクティブＵＥが前記リソースブロックを使用することが許可されるかを特定する。ここで、非アクティブＵＥのチャネル品質レベルが前記付加情報に指示されるチャネル品質レベルと一致する場合、該非アクティブＵＥが前記リソースブロックを使用することが許可されると特定することができる。そして、該非アクティブＵＥは、前記リソースブロックを使用することが許可される場合、該非アクティブＵＥが前記リソースブロックを使用して基地局へデータを送信する。具体的には、該非アクティブＵＥは、送信しようとするデータに対してＬ１及びＬ２レイヤーの処理を行い、そして前記上りリンクスケジューリング情報に指示されるリソースブロックを使用して、前記上りリンクスケジューリング情報に指示された電力で前記データを基地局に送信することができる。
【００５４】
上記データ送信方法を利用し、アクティブＵＥによって占有されるリソースについて、非アクティブＵＥのデータと該ＵＥのデータとを異なる電力で前記リソースに多重することで、非アクティブＵＥは、非アイドルリソースについても、コンテンションベース上りリンクアクセスを行うことができる。
【００５５】
以下、図１０を参照し、本発明第１実施例によるアクティブＵＥ及び非アクティブＵＥによって実行される、図８に示すデータ送信方法に基づデータ送信手順を説明する。
【００５６】
図１０に示すように、ステップＳ１００１では、基地局は、通信システムにおいて使用可能なＲＮＴＩを、セルにおけるＵＥへ通知する。
【００５７】
ステップＳ１００２では、前記ＲＮＴＩを受信した非アクティブＵＥは、該ＲＮＴＩを利用して、基地局がＰＤＣＣＨを送信したかを監視する。
【００５８】
ステップＳ１００３では、各リソースブロックについて、基地局は、上記方式に従ってスケジューリングを行うことで、該リソースブロックを使用することが許可されるアクティブＵＥ、及び／又は該リソースブロックを使用することが許可される非アクティブＵＥのチャネル品質レベル、並びに各ＵＥの送信電力を特定する。
【００５９】
ステップＳ１００４では、非アクティブＵＥの使用が許可されるリソースブロックについて、基地局は、上記した上りリンクスケジューリング情報（ＣＢ  Ｇｒａｎｔ）を生成し、そして前記ＲＮＴＩを使用して、該上りリンクスケジューリング情報を持つ制御情報（例えば、図９に示すＰＤＣＣＨ）をスクランブルし、且つ、スクランブルされた制御情報を各非アクティブＵＥに送信する。
【００６０】
ステップＳ１００５では、リソースブロックの使用が許可されたアクティブＵＥについて、基地局は、上りリンクスケジューリング情報（ＵＬ  Ｇｒａｎｔ）を生成し、さらに制御情報（例えば、図４に示すＰＤＣＣＨ）によって該上りリンクスケジューリング情報を該アクティブＵＥに送信する。
【００６１】
ステップＳ１００６では、非アクティブＵＥは、基地局から送信される上りリンクスケジューリング情報（ＣＢ  Ｇｒａｎｔ）を検知し、自分のチャネル品質レベルに基づいて、自分が前記リソースブロックを使用することが許可されたかを特定し、さらに、自分が前記リソースブロックを使用することが許可されたと特定する場合、該リソースブロックを使用し、Ｌ１レイヤー及びＬ２レイヤー処理されたデータを基地局に送信する。
【００６２】
ステップＳ１００７では、アクティブＵＥは、基地局が送信される上りリンクスケジューリング情報（ＵＬ  Ｇｒａｎｔ）を検知し、さらに該上りリンクスケジューリング情報に指示されるリソースを使用し、Ｌ１レイヤー及びＬ２レイヤー処理されたデータを基地局に送信する。
【００６３】
同様に、注意すべきなのは、上記フローにおいて特定の順番で各ステップを説明したが、これは制限的なものではなく、これらのステップは逆の順番で或いは同時に行うことができる。例えば、ステップＳ１００４及びステップＳ１００５は同時に行ってもよいし、先にステップＳ１００５を実行してからステップＳ１００４を実行してもよい。同様に、ステップＳ１００６及びステップＳ１００７は同時に行ってもよいし、先にステップＳ１００７を実行してからステップＳ１００６を実行してもよい。
【００６４】
これで分かるように、コンテンションベース上りリンクアクセスをＮＯＭＡと結合することにより、非アイドルリソースについても、非アクティブＵＥが上りリンクアクセスを行うことができ、よって、顕著に該アクセスの時間遅延を低減することができる。また、ＮＯＭＡを行う場合、チャネル品質レベルの差が大きいＵＥのデータをリソースブロック上に多重することにより、良好なＮＯＭＡ性能を実現できる。
【００６５】
続いて、図１１を参照し、本発明第２実施例にかかる基地局を説明する。
【００６６】
図１１に示すように、基地局１１００は、送信装置１１０１及びスケジューリング装置１１０２を備える。理解すべきなのは、この二つの装置以外、基地局１１００は、データ処理に用いられる装置並びにコアネットワーク及びＵＥとの通信に必要される装置をさらに備えても良い。ここでは説明の便宜上これらの装置を示さない。
【００６７】
送信装置１１０１は、通信システムにおいて使用可能なＲＮＴＩを、セルにおけるＵＥへ通知することができる。
【００６８】
スケジューリング装置１１０２は、各リソースブロックについて、上記方式に従ってスケジューリングを行うことにより、該リソースブロックを使用することが許可されるアクティブＵＥ、及び／又は該リソースブロックを使用することが許可される非アクティブＵＥのチャネル品質レベル、並びに各ＵＥの送信電力を特定することができる。
【００６９】
また、非アクティブＵＥの使用が許可されるリソースブロックについて、スケジューリング装置１１０２は、上記した上りリンクスケジューリング情報（ＣＢ  Ｇｒａｎｔ）を生成することができ、そして送信装置１１０１は、前記ＲＮＴＩを使用し、該上りリンクスケジューリング情報を持つ制御情報をスクランブルし、さらにスクランブルされた制御情報を各非アクティブＵＥに送信することができる。アクティブＵＥの使用が許可されるリソースブロックについて、スケジューリング装置１１０２は、上りリンクスケジューリング情報（ＵＬ  Ｇｒａｎｔ）を生成し、それに制御情報によって該上りリンクスケジューリング情報を該アクティブＵＥに送信することができる。
【００７０】
続いて、図１２を参照し、本発明第２実施例にかかるＵＥを説明する。
【００７１】
図に示すように、ＵＥ１２００は、受信装置１２０１、スケジューリング情報取得装置１２０２及び送信装置１２０３を備える。理解すべきなのは、これら三つ装置以外、ＵＥ１２００は、データ処理に用いられる装置並びに基地局との通信に必要される装置をさらに備えてもよい。ここでは説明の便宜上これらの装置を示さない。
【００７２】
受信装置１２０１は、基地局から通知されるＲＮＴＩを受信することができる。
【００７３】
スケジューリング情報取得装置１２０２は、基地局から通知されるＲＮＴＩに基づいて、基地局から送信される上りリンクスケジューリング情報を取得することができる。具体的には、スケジューリング情報取得装置１２０２は、基地局から通知されるＲＮＴＩを利用して、基地局から送信される制御情報（例えば、ＰＤＣＣＨ）をデスクランブルして、基地局から送信される上りリンクスケジューリング情報を取得する。
【００７４】
送信装置１２０３は、前記上りリンクスケジューリング情報に指示されるリソースブロックを使用して基地局へデータを送信する。具体的には、送信装置１２０３は、該ＵＥのチャネル品質レベル及び前記上りリンクスケジューリング情報における付加情報により、該非アクティブＵＥが前記リソースブロックを使用することが許可されるかを特定する。ここで、非アクティブＵＥのチャネル品質レベルと前記付加情報に指示されるチャネル品質レベルとが一致する場合、該非アクティブＵＥが前記リソースブロックを使用することが許可されると特定することができる。そして、該非アクティブＵＥが前記リソースブロックを使用することが許可される場合、該非アクティブＵＥは、前記リソースブロックを使用して基地局へデータを送信する。そして、送信装置１２０３は、送信しようとするデータに対してＬ１及びＬ２レイヤーの処理を行い、そして前記上りリンクスケジューリング情報に指示されるリソースブロックを使用して、前記上りリンクスケジューリング情報に指示される電力で前記データを基地局に送信することができる。
【００７５】
上記データ送信方法及びＵＥを利用し、非アイドルリソースについて、非アクティブＵＥのデータとアクティブＵＥのデータとを異なる電力で前記リソースに多重することができる。このように、非アクティブＵＥは、非アイドルリソースについても、コンテンションベース上りリンクアクセスを行うことができ、よって該アクセスの時間遅延を低減する。
【００７６】
以上で本発明の実施例を説明したが、理解すべきなのは、これらの説明は例示的なものに過ぎず、制限的なものではことである。例えば、上記で「第１」、「第２」、「第３」及び「第４」などの番号を使用したが、理解すべきなのは、これらの番号は対応する対象を区別するためのものに過ぎず、これらの対象自身又はその順番を制限するものではない。必要に応じて、その他の方式に従って各対象に対して番号を付けてもよい。また、上記でＵＥのチャネル品質を三つのレベルに分けたが、これは制限的なものではなく、ＵＥのチャネル品質を二つのレベル或いは三つ以上のレベルに分けてもよい。この場合に、同一リソースブロックにおいて電力多重を行うＵＥのチャネル品質レベルは、できるだけ大きく相違すればよい。さらに、同一リソースブロックにおいて二つのＵＥのデータを多重する場合の代わり、同一リソースブロックにおいてより多くのＵＥのデータを多重してもよい。また、上記したように、アイドルリソースブロックについては、ＮＯＭＡ多重を行わず、それを第２チャネル品質レベルを有するＵＥに割り当てるが、これは制限的なものではない。実際には、必要に応じて各種の方式で該アイドルリソースブロックを使用することができる。例えば、それを他のチャネル品質レベルを有するＵＥに割り当ててもよいし、該リソースブロック上に複数のＵＥのデータを多重してもよい。
【００７７】
本発明の例示的な実施例を示して説明したが、当業者にとっては、請求項及びその同等物によって限定される本発明の範囲と精神を逸脱しない限り、これらの例示的な実施例に対して様々な形式及び詳細上の変更が可能であることは明らかなものである。
【図１】
2019512921.tif 000003
【図２】
2019512921.tif 000004
【図３】
2019512921.tif 000005
【図４】
2019512921.tif 000006
【図５】
2019512921.tif 000007
【図６】
2019512921.tif 000008
【図７】
2019512921.tif 000009
【図８】
2019512921.tif 000010
【図９】
2019512921.tif 000011
【図１０】
2019512921.tif 000012
【図１１】
2019512921.tif 000013
【図１２】
2019512921.tif 000014
【国際調査報告】
2019512921.tif 000015
2019512921.tif 000016
2019512921.tif 000017
2019512921.tif 000018